(57)【要約】      （修正有）【課題】スパー型と流線型との両方の特徴を生かした浮体式洋上風力発電装置における浮体式構造物とその製造方法および設置方法を提供する。【解決手段】浮体式構造物１と該浮体式構造物に起立されるタワー２と、該タワーの上部に設けられる風車３とでなる浮体式洋上風力発電装置４において、前記浮体式構造物の外形形状を流線型にして抵抗の少ない船形の構造物とし、該浮体式構造物の下部に、若しくは、該浮体式構造物の幅方向の両側に、安定性を向上させるバラスト５を垂設させた浮体式洋上風力発電装置における浮体式構造物１とする。【選択図】図１
2013035361.tif 000002
【特許請求の範囲】
【請求項１】
浮体式構造物と該浮体式構造物に起立されるタワーと、該タワーの上部に設けられる風車とでなる浮体式洋上風力発電装置において、
前記浮体式構造物の外形形状を流線型にして抵抗の少ない船形の構造物とし、
該浮体式構造物の下部に、若しくは、該浮体式構造物の幅方向の両側に、安定性を向上させるバラストを垂設させたこと、
を特徴とする浮体式洋上風力発電装置における浮体式構造物。
【請求項２】
バラストは、浮体式構造物のバラスト用取付け部においてヒンジ構造が設けられ、該構造物の長手方向に沿って屈曲可能であること、
を特徴とする請求項１に記載の浮体式洋上風力発電装置における浮体式構造物。
【請求項３】
バラストは、浮体式構造物の幅方向の両側に設けた場合において、上下方向に移動できるように移動用ガイド装置と移動用駆動装置とを設けてあること、
を特徴とする請求項１に記載の浮体式洋上風力発電装置における浮体式構造物。
【請求項４】
一点で係留できるようにしたこと、
を特徴とする請求項１乃至３のいずれかに記載の浮体式洋上風力発電装置における浮体式構造物。
【請求項５】
浮体式構造物と、該浮体式構造物に起立されるタワーと、該タワーの上部に設けられる風車と、前記浮体式構造物に設けられるバラストとを組み立てて浮体式洋上風力発電装置を製造する際に、前記バラストは、浮体式構造物の下面から下側に突出しないように、屈曲させ若しくは移動させて収納状態にして浮体式構造物に取付けて組み立てること、
を特徴とする浮体式洋上風力発電装置の製造方法。
【請求項６】
浮体式洋上風力発電装置における浮体式構造物にバラストを設ける際に、前記バラストを、前記浮体式構造物の下面から下側に突出しないように、屈曲させ若しくは移動させて収納状態にして浮体式構造物に取り付け、前記浮体式洋上風力発電装置を組み立てた後、前記浮体式構造物を洋上に曳き出してから前記バラストを浮体式構造物における正規の位置に移動させること、
を特徴とする浮体式洋上風力発電装置の設置方法。
【発明の詳細な説明】
【技術分野】
【０００１】
本発明は、浮体式洋上風力発電装置における浮体式構造物と、浮体式洋上風力発電装置の製造方法およびその設置方法に関するものである。
【背景技術】
【０００２】
従来、洋上風力発電装置は、図１１（Ａ）に示すように、水理的安定性に優れている、例えば釣りの浮きのようなスパー型の洋上風力発電装置が知られており、その浮体構造物下の部にバラストを設置し、そのバラストに働く重力によって復元性を得ている。
【０００３】
また、図１１（Ｂ）に示すように、構造物の外形状を流線形状にしたものも知られている。これは、水深の深さ方向に伸ばして構造物の浮力を得るのではなく、平面方向に構造物を広げて、これに働く浮力を得て復元力を得ている。更に、この流線形の構造物では喫水が少ないので造船所のドック内での建造が可能であり、図１２（Ａ），（Ｂ）に示すように、複数の浮体式構造物にすることもあり、また、形状的に波の抵抗が少ないので一点係留を可能にしている。
【先行技術文献】
【特許文献】
【０００４】
【特許文献１】特開２００７−１８２０２１号公報
【発明の概要】
【発明が解決しようとする課題】
【０００５】
しかし、従来の洋上風力発電における浮体式構造物では、前記スパー型と流線型の夫々の長所を生かした浮体式構造物が実現されていない。そこで、本発明に係る浮体式洋上風力発電装置における浮体式構造物と、浮体式洋上風力発電装置の製造方法およびその設置方法は、このような課題を解決するために提案されたものである。
【課題を解決するための手段】
【０００６】
本発明に係る浮体式洋上風力発電装置における浮体式構造物の上記課題を解決して目的を達成するための要旨は、浮体式構造物と該浮体式構造物に起立されるタワーと、該タワーの上部に設けられる風車とでなる浮体式洋上風力発電装置において、前記浮体式構造物の外形形状を流線型にして抵抗の少ない船形の構造物とし、該浮体式構造物の下部に、若しくは、該浮体式構造物の幅方向の両側に、安定性を向上させるバラストを垂設させたことである。
【０００７】
前記バラストは、浮体式構造物のバラスト用取付け部においてヒンジ構造が設けられ、該構造物の長手方向に沿って屈曲可能にしたことである。
更に、前記バラストは、浮体式構造物の幅方向の両側に設けた場合において、上下方向に移動できるように移動用ガイド装置と移動用駆動装置とを設けてあることを含むものである。
そして、一点で係留できるようにしたことも含むものである。
【０００８】
本発明に係る浮体式洋上風力発電装置の製造方法の要旨は、浮体式構造物と、該浮体式構造物に起立されるタワーと、該タワーの上部に設けられる風車と、前記浮体式構造物に設けられるバラストとを組み立てて浮体式洋上風力発電装置を製造する際に、前記バラストは、浮体式構造物の下面から下側に突出しないように、屈曲させ若しくは移動させて収納状態にして浮体式構造物に取付けて組み立てることである。
【０００９】
本発明に係る浮体式洋上風力発電装置の設置方法の要旨は、浮体式洋上風力発電装置における浮体式構造物にバラストを設ける際に、前記バラストを、前記浮体式構造物の下面から下側に突出しないように、屈曲させ若しくは移動させて収納状態にして浮体式構造物に取り付け、前記浮体式洋上風力発電装置を組み立てた後、前記浮体式構造物を洋上に曳き出してから前記バラストを浮体式構造物における正規の位置に移動させることである。
【発明の効果】
【００１０】
本発明の浮体式洋上風力発電装置における浮体式構造物によれば、船形の浮体式構造物とすることで平面方向の体積を増大させて浮力を得るので、喫水が少なくなって造船所のドック等での建造が可能となる。さらに、浮体式構造物に垂設させたバラストで水理的安定性が向上するとともに、構造物の復元力を船形の浮体式構造物に働く浮力によって得ているので動揺制御に対して有利な構造となっている、と言う優れた効果を奏するものである。また、浮体式洋上風力発電装置の製造方法とその設置方法によれば、バラストを浮体式構造物に収納状態にすることができるので、造船所のドック等において容易に製造することができるとともに、浮体式構造物を出渠させた後に、洋上で前記バラストを正規の位置に移動させて浮体式構造物を安定させることができる。なお、バラストの浮体式構造物に対する正規の位置に移動させる時期は、洋上に出て安全な場所でバラストを移動させて安全に曳航させたり、風力発電の設置場所に到達してからバラストを正規の位置に移動させたりするものである。
【図面の簡単な説明】
【００１１】
【図１】本発明に係る浮体式洋上風力発電装置における浮体式構造物１の斜視図である。
【図２】同本発明の第２実施例に係る浮体式洋上風力発電装置における浮体式構造物１ａ，１ｂの斜視図（Ａ），（Ｂ）である。
【図３】同本発明の第３実施例に係る浮体式洋上風力発電装置における浮体式構造物１ｃの斜視      図である。
【図４】同本発明の第４実施例に係る浮体式洋上風力発電装置における浮体式構造物１ｄの斜視      図である。
【図５】同本発明の第５実施例に係る浮体式洋上風力発電装置における浮体式構造物１ｅの斜視      図である。
【図６】前記第４実施例における浮体式構造物１ｄの組立てから洋上への設置までの施工手順を示す説明図であり、造船所での浮体式構造物と風車、バラスト等を組み立てる様子を示す説明図（Ａ）と、ドック内に水を注水して出渠する様子を示す説明図（Ｂ）とである。
【図７】同、前記浮体式構造物１ｄを設置場所まで曳航する様子を示す説明図（Ａ）と、設置場所で浮体式構造物１ｄのアンカーを設置した様子を示す説明図（Ｂ）とである。
【図８】バラスト７を正規の位置に下ろした状態の説明図（Ａ）と、浮体式洋上風力発電装置４の設置完了の状態を示す説明図（Ｂ）とである。
【図９】同本発明の第６実施例に係る浮体式洋上風力発電装置における複数の浮体式構造物１ｆの斜視図である。
【図１０】浮体式体式構造物１ｇを一点係留した状態を示す斜視図（Ａ）と、更に中間ブイ１０を設けた場合の様子を示す斜視図（Ｂ）である。
【図１１】従来例に係る浮体式洋上風力発電装置における浮体式構造物１１，１２の斜視図（Ａ），（Ｂ）である。
【図１２】従来例の他の実施例に係る浮体式洋上風力発電装置における浮体式構造物１３，１４の斜視図（Ａ），（Ｂ）である。
【発明を実施するための形態】
【００１２】
本発明に係る浮体式洋上風力発電装置における浮体式構造物１は、図１に示すように、浮体式構造物１をスパー型と船形とを兼用させた浮体式構造物としたものである。なお、本発明における浮体式洋上風力発電装置の製造場所は、造船所のドックに限定することなく、フローチングドック、岸壁または陸上のヤード等でもよい。また、それら複数の場所を利用して製造しても良い。
【実施例１】
【００１３】
図１に示すように、前記浮体式構造物１と該浮体式構造物１に起立されるタワー２と、該タワー２の上部に設けられる風車３とでなる浮体式洋上風力発電装置４がある。そして、前記浮体式構造物１の外形形状を流線型にして抵抗の少ない船形の構造物とし、該浮体式構造物１の下部に安定性を向上させるバラスト５を垂設させてなるものである。
【００１４】
前記浮体式構造物１によって、波に対して抵抗の少ない構造であるとともに、前記バラストによって復元力が増大し、動揺に対する安定性が向上するものである。
【実施例２】
【００１５】
図２に示すように、第２実施例に係る浮体式構造物１ａは、前記バラスト５の変形例であり、船形の構造物１ａ，１ｂのキール（竜骨）にバラスト６ａ，６ｂを設けたものである。これによっても、前記実施例１のバラスト５と同様の効果が得られるものである。
【実施例３】
【００１６】
図３に示すように、第３実施例に係る浮体式構造物１ｃは、当該構造物１ｃの下部に垂設したバラスト７には、バラスト用取付け部においてヒンジ構造が設けられていることである。それにより、前記構造物１ｃの長手方向に沿って屈曲可能である。このように、建造時の喫水を小さくすることで、造船所のドッグでの建造が可能となる。また、この構造物１ｃを洋上の所定位置に設置する際には、ウインチやワイヤーなどで吊り下ろしてもよいし、油圧ジャッキなどで稼動させてバラスト７を下ろすようにしてもよい。
【実施例４】
【００１７】
図４に示すように、第４実施例に係る浮体式構造物１ｄの幅方向の両側に、安定性を向上させるバラスト７，７を一対にして垂設させたものである。このように、バラスト７を複数にして設けて、構造物１ｄの安定性を更に向上させることができる。
【実施例５】
【００１８】
図５に示すように、第５実施例に係る浮体式構造物１ｅは、バラスト８，８が浮体式構造物１ｅの幅方向の両側に設けた場合において、上下方向に移動できるように移動用ガイド装置（例えば、ガイドレール等、図示せず）と移動用駆動装置（図示せず）とを設けてあるものである。この移動用駆動装置として、例えば、ウインチによる上下巻上げ・巻き下げ方式や、ラック・ピニオン方式、盛替ジャッキアップ方式などを採用することができる。
【００１９】
ここで、前記浮体式構造物１ｄの組立てから所定の場所に設置するまでの施工手順について図６〜図８を参照して説明する。まず、図６（Ａ）に示すように、浮体式構造物１ｄに風車３、タワー２、バラスト７を組み立てる。前記バラスト７は、収納状態にしておく。そして、図６（Ｂ）に示すように、ドック内に水を注水して浮体式構造物１ｄを浮かせて出渠する。
【００２０】
次に、図７（Ａ）に示すように、前記浮体式構造物１ｄを風力発電の設置場所まで曳船で曳航する。そして、図７（Ｂ）に示すように、前記設置場所に着いたら浮体式構造物１ｄのアンカーを設置する。
【００２１】
図８（Ａ）に示すように、浮体式構造物１ｄのバラスト７を反時計方向に回転させて正規の位置に下ろす。これにより、浮体式構造物１ｄの設置が完了する（図８（Ｂ）参照）。なお、バラスト７の浮体式構造物１ｄに対する正規の位置に移動させる時期は、ドックから出渠した後に、洋上に出て安全な場所でバラスト７を移動させて、浮体式構造物１ｄの安定性能を向上させることで、曳航速度は抑制されるが、より安全に曳航させることもできる。
【実施例６】
【００２２】
このほか、図９に示すように、第６実施例に係る浮体式構造物１ｆは、浮体式構造物を複数にしたものである。また、それに伴い図ではバラスト７を中央の構造物１ｆに一つにしているが、これに限らずバラスト７をそれぞれの構造物１ｆに設けるようにして複数にしてもよい。
【実施例７】
【００２３】
また、図１０（Ａ）に示すように、浮体式構造物１ｇが船形であって波の抵抗が少ないので、係留鎖９で一点係留にすることができる。更に、図１０（Ｂ）に示すように、中間ブイ１０を設けて浮体式構造物１ｇと係船用ロープ１０ａで繋ぎ、前記中間ブイ１０をアンカーに繋ぐことで、浮体式構造物１ｇへの衝撃を緩和するようにすることもできる。
【符号の説明】
【００２４】
１          浮体式洋上風力発電装置における浮体式構造物、
１ａ〜１ｇ  各実施例に係る浮体式洋上風力発電装置における浮体式構造物、  
２          タワー、
３          風車、
４          浮体式洋上風力発電装置、
５          バラスト、
６ａ，６ｂ  バラストキール、
７、８      バラスト、
９          係留鎖、
１０        中間ブイ、                  
１０ａ      係船用ロープ、
１１〜１４  各従来例に係る浮体式洋上風力発電装置における浮体式構造物。
【図１】
2013035361.tif 000003
【図２】
2013035361.tif 000004
【図３】
2013035361.tif 000005
【図４】
2013035361.tif 000006
【図５】
2013035361.tif 000007
【図６】
2013035361.tif 000008
【図７】
2013035361.tif 000009
【図８】
2013035361.tif 000010
【図９】
2013035361.tif 000011
【図１０】
2013035361.tif 000012
【図１１】
2013035361.tif 000013
【図１２】
2013035361.tif 000014